(57)【特許請求の範囲】
【請求項１】
メイン排紙トレイおよびサブ排紙トレイを有する画像処理装置であって、
利用者の有無を検出する検出部と、排紙先としていずれか一方の排出トレイを選択する制御部とを備え、制御部は、利用者が検出されたとき、予め排紙先に設定された排紙トレイを確認して、排紙トレイを変更するか否かを選択することを特徴とする画像処理装置。
【請求項２】
予め設定された排紙先がメイン排紙トレイの場合、制御部は、利用者が検出されたとき、排紙先を前記メイン排紙トレイからサブ排紙トレイに変更し、予め設定された排紙先がサブ排紙トレイの場合、制御部は、利用者が検出されたとき、排紙先を前記サブ排紙トレイのままにすることを特徴とする請求項１に記載の画像処理装置。
【請求項３】
制御部は、排紙先を変更する際に、排紙先を変更するか否かを確認し、ＯＫの場合に変更することを特徴とする請求項１または２に記載の画像処理装置。
【請求項４】
ジョブ情報を入力する操作部を備え、検出部は、前記操作部が使用されているか否かを検出し、制御部は、前記操作部が使用されているとき、利用者がいると判断することを特徴とする請求項１〜３のいずれかに記載の画像処理装置。
【請求項５】
メイン排紙トレイは操作部の近くに位置し、サブ排紙トレイは操作部から離れた位置にあることを特徴とする請求項４記載の画像処理装置。
【請求項６】
検出部は、利用者からの赤外線を検出する焦電センサとされ、制御部は、赤外線を検出したとき、利用者がいると判断することを特徴とする請求項１〜５のいずれかに記載の画像処理装置。
【請求項７】
検出部は、利用者の位置を検出し、制御部は、検出した利用者の位置から遠い位置の排紙トレイを排紙先として選択することを特徴とする請求項１〜５のいずれかに記載の画像処理装置。
【請求項８】
制御部は、利用者がいることを報知することを特徴とする請求項１〜７のいずれかに記載の画像処理装置。
【発明の詳細な説明】
【技術分野】
【０００１】
本発明は、利用者の有無に応じて記録シートの排紙トレイを選択する制御部を有する画像処理装置に関する。
【背景技術】
【０００２】
利用者や使用状況に応じて、記録シートの排紙トレイを変更する機能を備えた画像処理装置がある。例えば、特許文献１には、操作パネルの角度を検出し、角度に応じて排紙トレイを自動的に選択する画像処理装置が開示されている。
【特許文献１】特開２００６−２５６２４６号公報
【発明の開示】
【発明が解決しようとする課題】
【０００３】
ところで、利用者（以下、第１利用者という）が画像処理装置を操作しているときに、他の利用者（以下、第２利用者という）が同じ画像処理装置に対して画像データを送信し、メイン排紙トレイに排紙した場合、第１利用者が記録シートを取り出すための取り出し口を塞いでしまうため、第２利用者が記録シートを取り出しにくいという問題がある。
【０００４】
本発明は、上記に鑑み、第１利用者が使用している場合であっても、記録シートの取り出しに支障をきたすことなく、速やかに取り出すことのできる画像処理装置を提供することを目的とする。
【課題を解決するための手段】
【０００５】
上記目的を達成するために、本発明では、メイン排紙トレイおよびサブ排紙トレイを有する画像処理装置であって、利用者の有無を検出する検出部と、利用者を検出したとき、いずれか一方の排出トレイを選択する制御部とを備えたことを特徴とする。
【０００６】
検出部は、画像処理装置を使用している第１利用者がいるか否かを検出する。例えば、検出部は、操作部が使用されているか否かを検出する。あるいは、検出部は焦電センサとされ、第１利用者からの赤外線の有無を検出する。この構成によると、操作部が使用されている、あるいは、赤外線を検出すると、第１利用者がいると判断できる。
【０００７】
制御部は、検出結果に基づいて処理をした記録シートの排紙先をいずれか一方の排紙トレイを排紙先にするかを選択する。例えば、あらかじめ設定された排紙先がメイン排紙トレイである場合、第１利用者を検出すると、制御部は、排紙先をメイン排紙トレイからサブ排紙トレイに切り替える。または、検出部が第１利用者の位置を検出できる場合、制御部は、検出した第１利用者の位置から近い位置の排紙トレイがどちらの排紙トレイかを判断し、判断結果から他方の排紙トレイ、すなわち、遠い位置の排紙トレイを選択する。
【０００８】
上記構成によると、第１利用者によってメイン排紙トレイあるいはサブ排紙トレイの取り出し口を塞いでいる場合であっても記録シートの取り出しに支障をきたすことがない。
【０００９】
制御部は、ジョブの入力があったときに排紙トレイを選択する。排紙トレイを変更した場合、制御部は、記録シートの排紙先を変更した旨を第２利用者に対して報知する。これにより、第２利用者は、処理した記録シートがどの排紙トレイに排紙されたかを認識することができ、取り出すときに探すことがない。
【００１０】
画像処理装置は、検出結果に応じて点灯するＬＥＤや表示灯といった表示ランプを備える。制御部は、第１利用者がいると判断したときは、前記表示ランプを点灯させる。これにより、第２利用者に対して、画像処理装置を使用している第１利用者がいることを報知することができる。
【発明の効果】
【００１１】
本発明によると、画像処理装置を使用している第１利用者の有無に応じて、排紙トレイを選択するので、例えば、通常の排紙先であるメイン排紙トレイが第１利用者によって塞がれている場合、処理した記録シートはサブ排紙トレイに排紙される。そのため、第２用者は、記録シートを取り出すのに支障をきたすことなく取り出しが可能となる。
【発明を実施するための最良の形態】
【００１２】
以下、本発明の画像処理装置を詳細に説明する。なお、説明の便宜上、画像処理装置１は、コピーモード、プリンタモード、スキャナモード、ファクシミリモード、および、ファイリングモードを有する複合機である。
【００１３】
画像処理装置１００は、図１に示すように、上部に画像読取部１１０、中央部に画像形成部２１０、下部に用紙給紙部２５０を配置して構成されている。画像処理装置１００の上面に配置された透明ガラス体の原稿台１１１上には、原稿セットトレイ上にセットされた複数枚の原稿を１枚ずつ自動的に原稿台１１１上へ給送する自動原稿搬送装置１１２が備えられている。用紙給紙部２５０の下方には、載置台を兼ねた多段給紙ユニット２７０が配置されている。
【００１４】
原稿台１１１の下方に位置する画像読取部１１０は、第１走査ユニット１１３、第２走査ユニット１１４、光学レンズ１１５、光電変換素子であるＣＣＤラインセンサ１１６を有する。画像読取部１１０は、自動原稿搬送装置１１２との関連した動作により、原稿台１１１上に載置された原稿の画像を所定の露光位置において相対的に走査して読み取る。
【００１５】
第１走査ユニット１１３は、原稿面上を露光する光源ランプユニット１、および、原稿からの反射光像を所定の方向に反射させる第１ミラー２ａを搭載している。光源ランプユニット１の照射光量は、光量センサ３によって検出される。
【００１６】
第２走査ユニット１１４は、第１ミラー２ａで反射された原稿からの反射光を光電変換素子であるＣＣＤラインセンサ１１６に導く第２ミラー２、および、第３ミラー２ｃを搭載している。光学レンズ１１５は、原稿からの反射光をＣＣＤラインセンサ１１６の受光面に結像させる。
【００１７】
画像形成部２１０には、感光体ドラム２２２を所定の電位に帯電させる帯電器２２３、原稿読取部１１０、または、外部装置から転送された画像データに応じてレーザ光を出射して感光体ドラム２２２上に静電潜像を形成するレーザスキャンユニット（以下、ＬＳＵという）２２７、感光体ドラム２２２上に形成された静電潜像に現像ローラ２２８を介してトナーを供給してトナー像に顕像化する現像器２２４、感光体ドラム２２２上に形成されたトナー像を記録シートに転写する転写器（転写ローラ）２２５、転写工程後の感光体ドラム２２２上に残留したトナー等を回収するクリーナ２２６が設けられている。
【００１８】
ＬＳＵ２２７は、内部に画像データによって変調されたレーザ光を照射する半導体レーザ１１、および、回転によってレーザ光を主走査方向に偏光するポリゴンミラー１２をレンズ群（図示せず）等とともに備えている。ポリゴンミラー１２は、モータ１３によって駆動される。
【００１９】
画像形成部２１０には、トナー像が転写された記録シートを加熱および加圧して、記録シート上にトナー像を定着させる定着ユニット２１７が設けられている。定着ユニット２１７は、上側の加熱ローラ２１と下側の加圧ローラ２２との一対のローラを備えている。加熱ローラ２１はヒータを備え、加熱ローラ２１の温度は、温度センサ２３によって検出される。
【００２０】
定着ユニット２１７の排出側には、記録シートの両面に画像を形成する両面画像形成モード時に記録シートの前後を反転させるスイッチバック路２２１が形成されている。スイッチバック路２２１は記録済みの記録シートの排出搬送路と兼用される。
【００２１】
用紙給紙部２５０は、本体側面に装着された手差トレイ２５４、両面ユニット２５５、給紙トレイ２５１と、多段給紙ユニット２７０に備えられた給紙トレイ２５２，２５３とで構成されている。これらの給紙トレイ２５１〜２５４は、複数枚の記録シートを積層して収納する。
【００２２】
用紙給紙部２５０は、給紙トレイ２５１〜２５４から給紙した記録シートを画像形成部２１０における感光体ドラム２２２と転写器２２５との間の転写位置へと搬送する給紙ローラ２５６、レジストローラ２５７等の搬送手段を備えている。給紙ローラ２５６は、給紙トレイ２５１から記録シートを給紙する。レジストローラ２５７は、給紙ローラ２５６により給紙された記録シートを突き当て一時停止させ、斜め送りを整合する。
【００２３】
両面ユニット２５５は、記録シートを反転させるスイッチバック路２２１に通じており、両面画像形成モード時に表裏面が反転された記録シートを再給紙する。排紙ローラ２１９は、両面印刷時（記録シート反転搬送時）では記録シートを挟持した状態で回転方向が逆転し記録シートを両面ユニット２５５の方向へ搬送する。
【００２４】
第２ゲート２６３は、記録済みの記録シートを本体内のメイン排紙トレイ２６４方向に搬送するか、スイッチバック路から反転搬送される記録済みの記録シートを両面ユニット２５５に搬送するかを切換える。
【００２５】
両面ユニット２５５の上部には、切り換えゲート２６５を有する。切り換えゲート２６５が実線位置では、記録シートは再給紙され、点線位置に切り替わったときは、排紙ローラ２１９から両面ユニット２５５に向かって搬送された記録シートを本体右外側のサブ排紙トレイ２６６に排紙することができる。したがって、印字面を下にしてサブ排紙トレイ２６６に排紙できる。
【００２６】
画像処理装置１００は、図２に示すように、制御部としてＲＯＭ４２およびＲＡＭ４３を備えたメインＣＰＵ４１を備える。メインＣＰＵ４１には、画像メモリ４４、画像処理回路４８、ＨＤＤ５４、ＮＩＣ５３、操作部である操作パネル７０、サブＣＰＵ−Ａ６０、サブＣＰＵ−Ｂ６１が接続されている。
【００２７】
メインＣＰＵ４１は、ＲＯＭ４２に予め書き込まれたプログラムにしたがって各入出機器を統括して制御し、この間に入出力されるデータをＲＡＭ４３の所定のメモリエリアに一時記憶する。画像メモリ４４は、画像処理回路４８から出力された画像データを記憶する。クライアントＰＣ５５から送信された画像データやパスワード等のジョブ情報は、ＨＤＤに記憶される。
【００２８】
操作パネル７０は、図３に示すように、入力キーを有するキーボード７０ａ、液晶表示パネル７０ｅを備える。操作パネル７０は、装置の状態や利用可能な記録シートサイズ、複写倍率等の表示を行なうと共に、キーボード７０ａの入力キーにより利用者の操作を受け付けることができる。
【００２９】
キーボード７０ａは、画像処理装置１００に対して収納自在に備えられる。キーボード７０ａには、図４に示すように、対に備えられた２つのキーボード支持レール７０ｌ、７０ｒによって移動自在に支えられる。キーボード７０ａは、２つのロックレバー７０ｄによって、収納姿勢を維持される。具体的には、キーボード７０ａが収納されたとき、ロックレバー７０ｄが引っ掛かり、収納状態が維持される。ロックレバー７０ｄが解除されると、キーボート７０ａは引き出すことができる。なお、キーボード７０ａを押すことで、ロックレバー７０ｄは解除される。
【００３０】
液晶表示パネル７０ｅは、液晶画面に触れることで入力が可能な液晶タッチパネルとしても良い。そして、利用者は、入力キーを用いてパスワードの入力を実行する。
【００３１】
操作パネル７０は、キーボード７０ａが収納されているか否かを検出する検出部７０ｂが設けられる。検出部７０ｂは、リミットスイッチとされる。検出部７０ｂは、キーボード７０ａが収納された時、そのキーボード７０ａによって押され、スイッチがＯＮ状態となる。キーボート７０ａが引き出されると、スイッチは解放されＯＦＦ状態となる。検出部７０ａは、検出結果をメインＣＰＵ４１に出力する。メインＣＰＵ４１は、検出結果に基づいて収納されているか否かを判断する。例えば、メインＣＰＵ４１は、検出部７０ｂがＯＮのときは収納されていると判断し、検出部７０ｂがＯＦＦのときは引き出されていると判断する。
【００３２】
ＮＩＣ５３は、「Ｎｅｔｗｏｒｋ  Ｉｎｔｅｒｆａｃｅ  Ｃａｒｄ」の略称であり、クライアントＰＣ５５と通信回線を介して通信を行なうための通信手段である。画像処理装置１００は、クライアントＰＣ５５から転送されるジョブ情報に基づいて処理を行なう、もしくは、原稿読取部１１０により得た画像データをＮＩＣ５３を介してクライアントＰＣ５５に転送する。
【００３３】
画像形成部２１０は、サブＣＰＵ−Ａ６０により制御され、ヒータ２１ａ、温度センサ２３、ドライバ４７、Ａ／Ｄ変換器６２を含む。温度センサ２３は、定着ユニット２１７において加熱ローラ２１の温度を検出して温度データをサブＣＰＵ−Ａ６０に出力する。
【００３４】
メインＣＰＵ４１は、第１復帰処理として、サブＣＰＵ−Ａ６０に所定のウオームアップコマンドを送信する。サブＣＰＵ−Ａ６０は、メインＣＰＵ４１より所定のウオームアップコマンドを受けると、ヒータ２１ａに通電し、温度センサ２３から得られる温度情報を基に、ヒータ２１ａにより加熱される加熱ローラ２１の表面温度を所定の温度に一定化するようヒータ２１ａの通電を制御する。サブＣＰＵ−Ａ６０は、加熱ローラ２１の表面が所定温度に到達したならば、処理可能状態（レディ状態）に達したと判断して、メインＣＰＵ４１に通知する。
【００３５】
原稿読取部１１０は、サブＣＰＵ−Ｂ６１により制御され、光源ランプ１ａ、光量センサ３、ドライバ４５、Ａ／Ｄ変換器６３を含む。光量センサ３は、光源ランプユニット１の光源ランプ１ａが照射した光の光量を検出して光量データをサブＣＰＵ−Ｂ６１に入力する。
【００３６】
メインＣＰＵ４１は、第２復帰処理として、サブＣＰＵ−Ｂ６１に所定のウオームアップコマンドを送信する。サブＣＰＵ−Ｂ６１は、メインＣＰＵ４１より所定のウオームアップコマンドを受けると、光源ランプ１ａに通電し、光量センサ３から得られる光量情報を基に、光源ランプ１ａの光量が所定の光量に一定化するよう光源ランプ１ａの通電を制御する。サブＣＰＵ−Ｂ６１は、光源ランプ１ａの光量が所定の光量に到達したら、処理可能状態に達したと判断して、メインＣＰＵ４１に通知する。        
【００３７】
ドライバ４５は、サブＣＰＵ−Ｂ６１から出力された制御データに基づいて光源ランプユニット１の光源ランプ１ａを駆動する。ドライバ４７は、サブＣＰＵ−Ａ６０から出力された制御データに基づいて定着ユニット２１７の加熱ローラ２１に内蔵されたヒータ２１ａを駆動する。
【００３８】
サブＣＰＵ−Ａ６０とサブＣＰＵ−Ｂ６１には、上記以外にも画像形成部２１０および原稿読取部１１０内のモータ、クラッチ、ソレノイド、センサ等の原稿読取処理時および画像形成処理時に動作する多数の入出力機器が接続されている。サブＣＰＵ−Ａ６０とサブＣＰＵ−Ｂ６１には、原稿読取処理時および画像形成処理時に所定のタイミングでセンサの検出データを読み取り、検出データに応じてモータ等を駆動する。
【００３９】
ところで、メイン排紙トレイ２６４は、画像処理装置１００の本体中央部にある。サブ排紙トレイ２６６は、画像処理装置１００の本体右外側にある。
【００４０】
そのため、画像処理装置１００の操作パネル７０を利用者（以下、第１利用者という）Ａが操作しているときに、同じ画像処理装置１００に対して、他の利用者（以下、第２利用者という）ＢがクライアントＰＣ５５から画像データを送信した場合、図５に示すように、利用者Ａが取り出し口を塞いでしまう。したがって、第２利用者（図示せず）は排紙トレイから記録シートが取り出しにくいという問題がある。
【００４１】
そこで、本画像処理装置１００は、操作パネル７０等を使用している利用者の有無に応じて、記録済みの記録シートの排紙先の排紙トレイを選択する機能を備える。具体的には、メインＣＰＵ４１が、キーボード７０ａが収納されているか否かから利用者の有無を判断し、利用者がいないと判断したときは記録済みの記録シートの排紙先を基本の排紙先であるメイン排紙トレイ２６４のまま維持する。利用者がいると判断したときは、記録済みの記録シートの排紙先をメイン排紙トレイ２６４からサブ排紙トレイ２６６に切り替える。
【００４２】
画像処理装置１００は、メインＣＰＵ４１の指示に応じて点灯するＬＥＤや表示灯といった表示ランプ７０ｃを備える。具体的には、メインＣＰＵ４１は、検出部７０ｂの検出結果から利用者の有無を判断し、その判断結果に応じて表示ランプ７０ｃを点灯させる。例えば、メインＣＰＵ４１は、検出部７０ａがＯＮのとき、すなわち、キーボード７０ａが収納されているとき、利用者がいないと判断し消灯する。検出部７０ａがＯＦＦのとき、すなわち、キーボード７０ａが引き出されているときは点灯する。検出部７０ａがＯＮのとき、すなわち、キーボード７０ａが収納されているときは消灯し、ＯＦＦのとき、すなわち、キーボード７０ａが引き出されているときは点灯する。
【００４３】
次に、表示ランプ７０ｃの点灯動作について、図６を用いて説明する。なお、この点灯動作は、画像処理装置１００が動作中は常時実行さる。
【００４４】
検出部７０ａは、ＯＮかＯＦＦかを検出し、その検出結果をメインＣＰＵ４１に出力する。メインＣＰＵ４１は、受信した検出結果から画像処理装置１００を使用する利用者がいるか否かを判断する（Ｓ１００）。
【００４５】
検出部７０ａがＯＦＦの時、メインＣＰＵ４１は、利用者がいると判断し、利用者の有無を示す変数Ｆｕに「１」をセットし、表示ランプ７０ｃを点灯させる（Ｓ１２０）。検出部７０ａがＯＮの時、メインＣＰＵ４１は、利用者がいないと判断し、利用者の有無を示す変数Ｆｕに「０」をセットし、表示ランプ７０ｃを消灯させる（Ｓ１４０）。
【００４６】
次に、排紙トレイを選択する機能の動作について、図７を用いて説明する。なお、説明の便宜上、第１利用者Ａが画像処理装置１００を使用する利用者で、第２利用者がクライアントＰＣ５５からジョブ情報を出力する利用者とする。
【００４７】
第２利用者がクライアントＰＣ５５でプリンタドライバを起動させると、クライアントＰＣ５５の制御部（図示せず）は、画像処理装置１００にアクセスする。画像処理装置１００のメインＣＰＵ４１は、クライアントＰＣ５５の制御部からアクセスがあると、変数Ｆｕの値を取得する（Ｓ２００）。メインＣＰＵ４１は、取得した変数ＦｕをクライアントＰＣ５５に出力する。
【００４８】
クライアントＰＣ５５の制御部は、変数Ｆｕが「１」であるか否かを確認する。変数Ｆｕが「１」のとき、クライアントＰＣ５５の制御部は、メインＣＰＵ４１に対して設定されている排紙先がメイン排紙トレイ２６４か否かを確認する（Ｓ２３０）。排紙先がメイン排紙トレイ２６４の場合、制御部は、排紙先をサブ排紙トレイ２６６に変更するか否かを確認するために、［ＯＫ］「キャンセル」ボタンをクライアントＰＣ５５の表示部（図示せず）に表示させ、排紙トレイの変更を許可するか否かを確認する（Ｓ２４０）。
【００４９】
制御部は、利用者が［ＯＫ］ボタンあるいは「キャンセル」ボタンのいずれかを選択するかを確認する（Ｓ２６０）。利用者が［ＯＫ］ボタンを選択すると、制御部は、排紙先をサブ排紙トレイ２６６に設定する（Ｓ２８０）。
【００５０】
ジョブ情報の入力が終了すると、制御部は、設定したジョブ情報をメインＣＰＵ４１に出力する。メインＣＰＵ４１は、受信したジョブ情報に基づいて排紙先をメイン排紙トレイ２６４からサブ排紙トレイ２６６に切り替える。そして、メインＣＰＵ４１は、ジョブ情報の処理内容を開始し、記録済みの記録シートをサブ排紙トレイ２６６に出力する。
【００５１】
Ｓ２２０で変数Ｆｕが「０」のときは、画像処理装置１００を使用する利用者がいないので、制御部は、あらかじめ設定されている排紙トレイ２６４，２６６を排紙先として維持する。例えば、メイン排紙トレイ２６４は、あらかじめ設定された排紙先の場合、制御部は、排紙先をメイン排紙トレイ２６４のまま維持する設定をする。
【００５２】
ジョブ情報の入力が終了すると、制御部は、設定したジョブ情報をメインＣＰＵ４１に出力する。メインＣＰＵ４１は、受信したジョブ情報に基づいて排紙先をメイン排紙トレイ２６４のまま維持する。そして、メインＣＰＵ４１は、ジョブ情報の処理内容を開始し、記録済みの記録シートをメイン排紙トレイ２６４に出力する。
【００５３】
Ｓ２３０で設定されている排紙先がメイン排紙トレイ２６４でないとき、すなわち、あらかじめ設定されている排紙先がサブ排紙トレイ２６６の場合は、制御部は、あらかじめ設定されているサブ排紙トレイ２６６を排紙先として維持する設定をする。
【００５４】
ジョブ情報の入力が終了すると、制御部は、設定したジョブ情報をメインＣＰＵ４１に出力する。メインＣＰＵ４１は、受信したジョブ情報に基づいて排紙先をサブ排紙トレイ２６６のまま維持する。そして、メインＣＰＵ４１は、ジョブ情報の処理内容を開始し、記録済みの記録シートをサブ排紙トレイ２６６に出力する。
【００５５】
Ｓ２６０で利用者が「キャンセル」ボタンを選択したとき、制御部は、メイン排紙トレイ２６４を排紙先として維持する設定をする。ジョブ情報の入力が終了すると、制御部は、設定したジョブ情報をメインＣＰＵ４１に出力する。メインＣＰＵ４１は、受信したジョブ情報に基づいて排紙先をメイン排紙トレイ２６４のまま維持する。そして、メインＣＰＵ４１は、ジョブ情報の処理内容を開始し、記録済みの記録シートをメイン排紙トレイ２６４に出力する。
【００５６】
これにより、第１利用者Ａが画像処理装置１００の操作パネル７０を操作しているときに、第２利用者がクライアントＰＣ５５から同じ画像処理装置１００に対して画像データを送信した場合であっても、排紙先があらかじめ設定されたメイン排紙トレイ２６４からサブ排紙トレイ２６６に変更されるので、第２利用者は、容易に排紙した記録シートを取り出すことができる。
【００５７】
仮に、第１利用者Ａがサブ排紙トレイ２６６を使用している場合であっても、第１利用者Ａは、画像処理装置１００を操作している限り、メイン排紙トレイ２６４の前にいることになる。すなわち、第１利用者Ａは、メイン排紙トレイ２６４を塞いでいるので、第２利用者にとっては記録シートが取りにくい。そこで、 第１利用者Ａがサブ排紙トレイ２６６を使用している場合であっても、メインＣＰＵ４１は、排紙先をメイン排紙トレイ２６４からサブ排紙トレイ２６６に切り替える。
【００５８】
なお、本発明は、上記実施形態に限定されるものではなく、本発明の範囲内で上記実施形態に多くの修正および変更を加え得ることは勿論である。本実施形態では、利用者の有無をキーボートの収納状態から判断しているが、特にこの限りではない。例えば、検出部が利用者から赤外線を検出する焦電センサとされ、前記焦電センサが画像処理装置の正面に備えられる。焦電センサが利用者を検出すると、メインＣＰＵは、利用者がいると判断する。
【００５９】
その他としては、操作パネルからの入力の有無によって利用者の有無を判断してもよい。例えば、操作パネルからジョブ情報が入力されたとき、メインＣＰＵは利用者がいると判断する。入力がないときは利用者がいないと判断する。
【００６０】
本実施形態は、利用者の有無を検出していたが、利用者の位置を検出してもよい。例えば、画像処理装置の前面に重量センサのマットを配置する。メインＣＰＵは、重量センサの検出結果から利用者の立ち位置を判断する。そして、メインＣＰＵは、判断した利用者の位置から近い排紙トレイを判断する。そして、メインＣＰＵは、遠い排紙トレイを排紙先の排紙トレイに選択する。これにより、排紙トレイが利用者によって塞がれることを確実に防止することができる。なお、利用者の位置を検出するのはカメラであってもよい。
【００６１】
本実施形態では、第２利用者がクライアントＰＣからジョブ情報を入力しているが、特にこの限りではない。例えば、画像処理装置にＵＳＢ等の接続端子が備えられており、第２利用者が接続端子にＵＳＢメモリ等を接続してジョブ情報を入力したときであってもよい。
【００６２】
本実施形態では、第１利用者が画像処理装置を使用中に、第２利用者が前記画像処理装置に対してクライアントＰＣからジョブ情報を出力する場合について説明しているが、特にこの限りではない。例えば、第１利用者が画像処理装置を利用中に、第２利用者が割込でコピーする場合に適用してもよい。これにより、第１利用者と第２利用者で異なる排紙トレイに排紙することができ、選別が容易になる。
【図面の簡単な説明】
【００６３】
【図１】本実施形態に係る画像処理装置の全体断面図
【図２】画像処理装置のブロック図
【図３】画像処理装置の三面図
【図４】操作パネルの構造図
【図５】利用者によってメイン排紙トレイが塞がれた状態を示す図
【図６】表示ランプの点灯動作を示すフローチャート
【図７】排紙トレイの選択動作を示すフローチャート
【符号の説明】
【００６４】
４１    メインＣＰＵ
４２    ＲＯＭ
４３    ＲＡＭ
４４    画像メモリ
４８    画像処理回路
５４    ＨＤＤ
７０    操作パネル
７０ａ  キーボード
７０ｂ  検出部
７０ｃ  表示ランプ
７０ｄ  ロックレバー
７０ｌ  キーボード支持レール
７０ｒ  キーボード支持レール
【図１】
0004955608.tif 000002
【図２】
0004955608.tif 000003
【図３】
0004955608.tif 000004
【図４】
0004955608.tif 000005
【図５】
0004955608.tif 000006
【図６】
0004955608.tif 000007
【図７】
0004955608.tif 000008